(57)【要約】      （修正有）【課題】接続の作業性の良い電子機器用ケースを提供する。【解決手段】開口部を前面のとき，箱体の上面には外部に用意された伝送手段と電子回路９の接続手段とが箱体内部で着脱自在に接続できる取付部１３を，下面には収納された電子回路と外部とを接続する接続端子を具備した電子回路収納箱１０と，この収納箱の開口部の一部を封鎖可能な蓋体部２１と，取付部側を開口させるために蓋体部の両側面を延設した延設部２３と，蓋体部と延設部の延設点近傍に両側面の外側方向に立設させた突起部２５を備えた蓋体３０と，蓋体の開口部を封鎖し，この両側面の一方側端部には，端部から側面の長手方向に切り欠いた係止溝を具備した可動蓋体３０とから成り，蓋体と可動蓋体とは，係止溝３２と蓋体の突起部と嵌合させ，可動蓋体の他方側端部において，収納箱と可動蓋体を固着する固着部３３を少なくとも一ヶ所備え，可動蓋体は収納箱の上下方向に着脱自在に固着する。【選択図】図１
2005340394.tif 000002
【特許請求の範囲】
【請求項１】
電子機器を収納する電子機器用ケースにおいて，
一方を開口して，電子回路を内部に収納するように箱体に形成され，当該開口部を前面にしたときに，当該箱体の上面と下面の少なくとも一方の面には，箱体に収納された電子回路と外部との接続を可能とする接続端子が備えられると共に，外部に用意された伝送手段と前記電子回路に設けた接続手段とが箱体内部で着脱自在に接続できるよう取付部を具備した電子回路収納箱と，
前記電子回路収納箱の開口部の一部を封鎖可能に断面略コ字状に形成した蓋体部と，前記取付部が形成された前記電子回路収納箱の面側を開口させるように，前記蓋体部の両側面を前記取付部側に連続的に延設させた延設部とからなり，前記蓋体部と前記延設部の延設点近傍には，前記両側面の外側方向に立設させた突起部を備えた固定蓋体と，
前記固定蓋体の開口部を封鎖可能に断面略コ字状に形成し，この両側面の一方側端部には，当該端部から側面の長手方向に切り欠いた係止溝を具備した可動蓋体とから成り，
前記可動蓋体と前記固定蓋体とは，可動蓋体の一方側端部に形成された係止溝と前記固定蓋体の突起部と嵌合させながら係止し，
前記可動蓋体と前記電子回路収納箱とは，可動蓋体の他方側端部において，前記可動蓋体と前記電子回路収納箱とを固着するための固着部を少なくとも一ヶ所備えることによって，前記可動蓋体は前記電子回路収納箱の上下方向に着脱自在に固着されるように構成されたことを特徴とした電子機器用ケース。
【発明の詳細な説明】
【技術分野】
【０００１】
本発明は，主に電子回路を収納する電子機器用ケースに関し，詳しくはその電子機器用ケースの構造に関する。
【背景技術】
【０００２】
従来の電子機器用ケースは，設置ばかりでなく点検や調整などの操作を適宜に行う事が必要であることから，その前面に開閉扉を開閉自在に蝶着することが一般的であり，しかもこの開閉扉はできるだけ大きくしてケース前面の操作部をできるだけ大きく開放し得ることが，前記したような各操作を容易かつ的確に実施するために必要とされ，例えば，作業場前面扉の完全開放が可能な電子機器用ケースが提案されている。（例えば，特許文献１参照）
【０００３】
【特許文献１】特開平２−３６５３号公報
【発明の開示】
【発明が解決しようとする課題】
【０００４】
しかし，従来の電子機器用ケースによると，前面操作における操作性は向上するものの，その構成が複雑にならざるを得ず，コストアップとなる問題があった。更に近年において，高周波信号ばかりでなく，データ信号を伝送すことも増加し，更にはシステムの複雑化によって電子機器等を収納する収納箱に収納する電子機器が増え，夫々の電子機器の小型化が検討されることとなり，例えば従来のように底面側から電子機器と給電線等を接続するばかりでなく，上面側も使って給電線の接続を行うように構成された電子機器も提供されるように成ってきた。更には高周波回路とディジタル回路とを具備させて，同軸ケーブルのような給電線ばかりでなく，データ信号を伝送するための信号線を電子機器内部に接続するような電子機器も増え，前述の従来例のように，前面側を完全開放するような構造においては，上面側の配線を行う時に扉が邪魔になったり，信号線のような細線を接続するような場合において，細かい作業を要することから，例えば接続点等を間近で見入る必要が生じ，扉が前面側に突出するような構造の電子機器では接続の作業性に問題が発生するようになったりしてきた。また，更なるコストダウンが要求されこれに対応するために簡単な構成で且つ使用部品を少なく構成することが求められるようになった，
そこで本願においては，こうした問題点を解決するためになされたものであり，
その目的は，電子機器用ケースの収納された電子回路と外部との接続の作業性の良い電子機器用ケースを提供することにある。
他の目的は，簡単且つ安価な構成の電子機器用ケースを提供することにある
他の目的は，壁面等の設置時に省スペースで設置できる電子機器用ケースを提供することに有る。
【課題を解決するための手段】
【０００５】
上記課題を解決するために，請求項１の発明は，電子機器を収納する電子機器筐体において，一方を開口して，電子回路を内部に収納するように箱体に形成され，当該開口部を前面にしたときに，当該箱体の上面と下面の少なくとも一方の面には，箱体に収納された電子回路と外部との接続を可能とする接続端子が備えられると共に，外部に用意された伝送手段と前記電子回路に設けた接続手段とが箱体内部で着脱自在に接続できるよう取付部を具備した電子回路収納箱と，前記電子回路収納箱の開口部の一部を封鎖可能に断面略コ字状に形成した蓋体部と，前記取付部が形成された前記電子回路収納箱の面側を開口させるように，前記蓋体部の両側面を前記取付部側に連続的に延設させた延設部とからなり，前記蓋体部と前記延設部の延設点近傍には，前記両側面の外側方向に立設させた突起部を備えた固定蓋体と，前記固定蓋体の開口部を封鎖可能に断面略コ字状に形成し，この両側面の一方側端部には，当該端部から側面の長手方向に切り欠いた係止溝を具備した可動蓋体とから成り，
前記可動蓋体と前記固定蓋体とは，可動蓋体の一方側端部に形成された係止溝と前記固定蓋体の突起部と嵌合させながら係止し，前記可動蓋体と前記電子回路収納箱とは，可動蓋体の他方側端部において，前記可動蓋体と前記電子回路収納箱とを固着するための固着部を少なくとも一ヶ所備えることによって，前記可動蓋体は前記電子回路収納箱の上下方向に着脱自在に固着されるように構成される。
【発明の効果】
【０００６】
請求項１の発明によれば，電子機器を収納する電子機器筐体において，一方を開口して，電子回路を内部に収納するように箱体に形成され，当該開口部を前面にしたときに，当該箱体の上面と下面の少なくとも一方の面には，箱体に収納された電子回路と外部との接続を可能とする接続端子が備えられると共に，外部に用意された伝送手段と前記電子回路に設けた接続手段とが箱体内部で着脱自在に接続できるよう取付部を具備した電子回路収納箱と，前記電子回路収納箱の開口部の一部を封鎖可能に断面略コ字状に形成した蓋体部と，前記取付部が形成された前記電子回路収納箱の面側を開口させるように，前記蓋体部の両側面を前記取付部側に連続的に延設させた延設部とからなり，前記蓋体部と前記延設部の延設点近傍には，前記両側面の外側方向に立設させた突起部を備えた固定蓋体と，前記蓋体の開口部を封鎖可能に断面略コ字状に形成し，この両側面の一方側端部には，当該端部から側面の長手方向に切り欠いた係止溝を具備した可動蓋体とから成り，
前記可動蓋体と前記固定蓋体とは，可動蓋体の一方側端部に形成された係止溝と前記固定蓋体の突起部と嵌合させながら係止し，前記可動蓋体と前記電子回路収納箱とは，可動蓋体の他方側端部において，前記可動蓋体と前記電子回路収納箱とを固着するための固着部を少なくとも一ヶ所備えることによって，前記可動蓋体は前記電子回路収納箱の上下方向に着脱自在に固着されるように構成したので，
電子機器の小型化が可能であると共に，伝送線の引き回しによって電子機器の周辺部に要する空間が少なくてすむばかりでなく，蓋体の一部が簡単に取り外せることで，例えば対撚線等の細い伝送線を，電子機器の内部に備えた接続手段に接続する場合，非常に小さな工具で持って接続を行う必要があるのであるが，蓋体が作業者の顔面方向に突出することがなく邪魔にならないので，その接続作業や接続状態の確認が，顔をケースに近づけて直接間近に見ながらできるといった非常に作業性が良く，且つ，接続作業の確実性が誰においても得られる信頼性の高い電子機器用ケースを提供することができる。
【発明を実施するための最良の形態】
【０００７】
以下に，本発明を具体化した実施形態の例を，図面を基に詳細に説明する。
図１は本発明に係る電子機器用ケースの分解斜視図である。図２は本発明に係る電子機器用ケースの正面図である。図３は本発明に係る電子機器用ケースを用いた電子機器の使用方法を説明する正面図である。
【実施例１】
【０００８】
図１において，１０は電子回路を形成したプリント配線板９を収納できるように，一端を開口させて箱状に形成された電子回路収納部である。尚，以下の説明では特に説明のない限り，この開口部を前面としたときを基準として行う。
この実施例によれば，所定の電子回路が形成された少なくとも１枚のプリント配線板９が電子回路収納部１０に任意の方法で固着されている。
１１，１１は電子回路収納部１０の側面をなすものであり，夫々所定位置に螺子孔１１ａ，１１ａ・・・が形成されている。１２は取付側壁面であり，この壁面には図示されていない透孔にブッシング１３が取付けられ，請求項に示す取付部が形成されている。また，取付側壁面１２の上端中央部には，取付側壁面１２と一体的に形成した，中央に螺子孔１４ａを形成した係止片１４が形成されている。
１５は接続側壁面であり，この壁面には接続端子１６ａ，１６ｂが固着されており，この接続端子を介して外部とプリント配線板９に形成された電子回路との接続を行う。この電子回路収納部１０の底部１７と前記側面１１，１１，取付側壁面１２，接続側壁面１５とは一体的に金属材料を屈曲形成したものである，
底部１７には，前記取付側壁面１２の中央部から突出する位置に係止部１８が固着されている。この係止部１８は係止孔１８ａが形成されており，本願のケースを壁面に取付ける場合に螺子等を挿通させて係止するためのものである。尚，図１には図示されていないが，底面１７であって接続壁面１５の側に突設するように係止部１９が固着されている。
【０００９】
２０は，前記電子回路収納箱の一部を封鎖可能に形成された固定蓋体である。この固定蓋体２０は，前記電子回路収納部１０の接続側壁面１５よりの開口部を封鎖可能に断面略コ字形状に形成された蓋体部２１と，当該蓋体部の両側面２２，２２から取付側壁面方向に延設した延設部２３とからなり，前記電子回路収納部１０の取付側壁面寄りを開口するように，金属材料等を屈曲加工したものである。
前記蓋体部２１と延設部２３との接合部分がなす開口部周辺と，延設部２３の前端部には，内方向に一段低く階段状に凹部２４が連設されている。この凹部２４の蓋体部２１側の両側面には，この側面に直角に外方向に立設させた突起部２５，２５が形成されている。
また固定蓋体２０の側面２２，２２，延設部２３，２３には夫々透孔２２ａ，２２ａ，２３ａ，２３ａが形成されている。
【００１０】
次に，３０は前記固体蓋体２０の開口部を封鎖可能に形成された可動蓋体である。この可動蓋体３０は断面略コ字形状に金属材料を折り曲げ加工したものであり，この両側面３１，３１の一方端部には，端分を切り欠いて側面方向に形成された係止溝３２，３２が形成されている。
また，可動蓋体３０の他方側端部の中央部には，中央部に透孔３３ａを備え可動蓋体３０の外方向に突設させた固着部３３が可動蓋体２０と一体的に屈曲形成されている。
【００１１】
このように形成された電子機器用ケース１の組立方法について説明する。
先ず固定蓋体２０を電子回路収納部１０に被せるのであるが，この時，固定蓋体２０の側面側に形成した透孔２２ａ，２２ａ，２３ａ，２３ａを，電子回路収納部の側面に形成した螺子孔１１ａ，１１ａ，１１ａ，１１ａとを対向配置させてから，螺子棒２６，２６，２６，２６で螺着することによって行われる。
次に，可動蓋体３０を組み付けるのであるが，先ず可動蓋体３０の側面３１，３１の内面側を，前記固定蓋体２０の凹部２４であって，前記延設部２３の前端部に形成した凹部に嵌めこむように嵌合させる。次に，可動蓋体２０を前記延設部２３に沿って蓋体部２１方向にスライドさせる。この時可動蓋体３０の側面の一方側端部に形成した係止溝３２，３２が，前記固定蓋体２０に形成した突起部２５，２５を嵌合しながら導かれ，当該突起部２５，２５が前記係止溝３２，３２の終端部に当接するまで押し込まれると共に，可動蓋体３０の一方側の周縁部内側が，固定蓋体２０に形成された凹部に当接するように固着されるのである。このように組立が済んだならば，固着部３３に螺子棒３４を挿通させて，この螺子棒３４を係止片１４の螺子孔１４ａに螺着させて固定が完了する。
この完成状態の電子機器用ケースを図２に示す。この図は正面から見た図であり，例えばこの電子機器ケースを壁面等に取付けた時はこの図のように，取付部１３が取付けられた取付側壁面１２が上面に，接続端子１６ａ，１６ｂが固着された接続側壁面１５が下面となるように取付けられるのである。
【００１２】
次に本発明の電子機器用ケースを用いた電子機器の例について図３を基に説明する。図３は壁面に取付けた状態を示す正面図であり，可動蓋体３０を外した状態の図である。この図において５１は，例えばアンテナからのテレビ受信信号やＣＡＴＶセンター局から伝送された高周波信号を伝送するための同軸ケーブルを示し，接続端子であるＦ型コネクタからなる入力端子１６ａに接続されている。５２は本願の電子機器において処理されて，接続端子であるＦ型コネクタからなる出力端子１６ｂに出力される信号を伝送するための同軸ケーブルを示す。
５０は前記同軸ケーブルで伝送する周波数帯より低い周波数体の信号を伝送するための対撚線の一部を示し，例えば対撚線５０ａをブッシング１３に貫通させて，その先端部をプリント配線板上に配設した接続手段４０に接続する。同様の作業を他の対撚線に対して行う。こうして電子機器内に取り込まれたデータ信号は信号処理された後に，前記同軸ケーブルに流れる信号と合成されて伝送される構成となっている。
【００１３】
このように本願の電子機器用ケースを用いれば，電子機器用ケースの底面からも，上面からも内部に収納した電子回路との接続ができるように構成し，伝送線として同軸ケーブルばかりでなく，例えば対撚線も接続可能としたので，電子機器の小型化が可能であると共に，伝送線の引き回しによって電子機器の周辺部に要する空間が少なくてすむばかりでなく，蓋体の一部が簡単に取り外せることで，例えば対撚線等の細い伝送線を，電子機器の内部に備えた接続手段に接続する場合，非常に小さな工具で持って接続を行う必要があるのであるが，蓋体が作業者の顔面方向に突出することがなく邪魔にならないので，その接続作業や接続状態の確認が，顔をケースに近づけて直接間近に見ながらできるといった非常に作業性が良く，且つ，接続作業の確実性が誰においても得られる信頼性の高い電子機器用ケースを提供できるのである。
尚，本発明は上記実施の形態に限定されるものではなく，本発明の趣旨を逸脱しない範囲で各部の構成を適宜に変更して実施することも可能である。
【図面の簡単な説明】
【００１４】
【図１】本発明に係る電子機器用ケースの分解斜視図である。
【図２】本発明に係る電子機器用ケースの正面図である。
【図３】本発明に係る電子機器用ケースを用いた電子機器の使用方法を説明する正面図である。
【符号の説明】
【００１５】
１…電子機器用ケース，１０…電子回路収納部，１１…側面，１１ａ…螺子孔，１２…取付側壁面，１３…ブッシング，１４…係止片，１４ａ…螺子孔，１５…接続側壁面，１６…接続端子，１７…底部，１８…係止部，１８ａ…係止孔，１９…係止部，２０……固定蓋体，２１…蓋体部，２２…側面，２２ａ…透孔，２３…延設部，２３ａ…透孔，２４…凹部，２５…突起部，２６…螺子棒，３０…可動蓋体，３１…側面，３２…係止溝，３３…固着部，３３ａ…透孔，３４…螺子棒，４０…接続手段，５０…対撚線，５１，５２…同軸ケーブル
【図１】
2005340394.tif 000003
【図２】
2005340394.tif 000004
【図３】
2005340394.tif 000005